(57)【要約】【課題】導出口部位での遊技球の球詰まりを防止するようにした遊技機の球タンクを提供する。【解決手段】前側壁１４ａに平行でありかつ導出口１５の前側縁部１５ａに達する横折れ線１９と球払出装置１２に近い側の前側隅部Ｏ２から横折れ線１９の下流端部Ｏ１に達する斜め折れ線２１とにより、底壁１４ｅ上面を前側壁１４ａ及び横折れ線１９の間の前側傾斜面２０ａと横折れ線１９及び後側壁１４ｂの間の後側傾斜面２０ｂと斜め折れ線２１の外側の斜め傾斜面２０ｃとの三個のエリアに分割し、前側傾斜面２０ａは前側壁１４ａに沿って斜め折れ線２１側へ下傾し、後側傾斜面２０ｂは横折れ線１９側へ下傾し、斜め傾斜面２０ｃは斜め折れ線２１側に下傾するようにした。【選択図】図４
2007000213.tif 000002
【特許請求の範囲】
【請求項１】
遊技機の裏側上部に配設されタンクレールを介して球払出装置に供給される遊技球を貯留するようにした有底箱枠状の球タンクであって、
前記球払出装置に近い側でありかつ後側隅部の底壁に前記タンクレールに連なる導出口を開設し、
前記底壁上面を、前記前側壁に平行でありかつ前記導出口の前側縁部に達する横折れ線と前記球払出装置に近い側の前側隅部から前記横折れ線の下流端部に達する斜め折れ線とにより、前記前側壁及び横折れ線の間に成形される前側傾斜面と前記横折れ線及び後側壁の間に成形される後側傾斜面と前記斜め折れ線の外側に成形される斜め傾斜面との三個のエリアに分割してなり、
前記前側傾斜面は前記前側壁に沿って前記斜め折れ線側へ下傾し、前記後側傾斜面は前記横折れ線側へ下傾し、前記斜め傾斜面は前記斜め折れ線側に下傾していることを特徴とする遊技機の球タンク。
【発明の詳細な説明】
【技術分野】
【０００１】
本発明は、パチンコ遊技機の上方に配置される遊技球補給経路から補給される遊技球を貯留して球払出装置に導くための遊技機の球タンクに関するものである。
【背景技術】
【０００２】
従来、遊技機の一種であるパチンコ遊技機にあっては、その裏側上部に遊技球補給経路から補給される遊技球を貯留し、下流側に位置する球払出装置に供給するための球タンクが設置されている。該球タンクは、上面が開口する有底箱枠状に成形され、底面が一側に向かって下傾すると共にその下流端に貯留される遊技球をタンクレールに排出する導出口が開設されている（例えば、特許文献１参照。）。
【特許文献１】特開平８−２６６７２７号公報（第４頁段落００２４、図２）
【発明の開示】
【発明が解決しようとする課題】
【０００３】
しかしながら、前記特許文献１の球タンクにあっては、底面が導出口に向かって下傾している関係から、球タンクに補給された遊技球は、底面を下流側に流れ導出口へ一度に集中する。このため、球払出装置が停止し遊技球の払い出しを行なってない状態では、タンクレール内の遊技球が流下せず停止しており、しかも、球タンク内では導出口にまで遊技球がダンゴ状に一杯に積み重なるため、狭くなる導出口部位で所謂球詰まりが起きるといった課題があった。これは、導出口に遊技球が一気に集中することから、その球荷重による球圧がその原因であると考えられる。
【０００４】
そこで、本発明は上記課題を解決すべくなされたもので、導出口へ流れ込む遊技球の球荷重を分散させ導出口への球圧を軽減することにより、導出口部位での球詰まりを防止するようにした遊技機の球タンクを提供することを目的とするものである。
【課題を解決するための手段】
【０００５】
かかる目的を達成するため本発明に係る遊技機の球タンクは、遊技機の裏側上部に配設されタンクレールを介して球払出装置に供給される遊技球を貯留するようにした有底箱枠状の球タンクであって、前記球払出装置に近い側でありかつ後側隅部の底壁にタンクレールに連なる導出口を開設し、底壁上面を、前側壁に平行でありかつ導出口の前側縁部に達する横折れ線と球払出装置に近い側の前側隅部から横折れ線の下流端部に達する斜め折れ線とにより、前側壁及び横折れ線の間に成形される前側傾斜面と横折れ線及び後側壁の間に成形される後側傾斜面と斜め折れ線の外側に成形される斜め傾斜面との三個のエリアに分割してなり、前記前側傾斜面は前側壁に沿って斜め折れ線側へ下傾し、後側傾斜面は横折れ線側へ下傾し、斜め傾斜面は斜め折れ線側に下傾するようにした構成からなる。
【発明の効果】
【０００６】
本発明に係る遊技機の球タンクは、前側壁に平行でありかつ導出口の前側縁部に達する横折れ線と球払出装置に近い側の前側隅部から横折れ線の下流端部に達する斜め折れ線とにより、底壁上面を前側壁及び横折れ線の間に成形される前側傾斜面と横折れ線及び後側壁の間に成形される後側傾斜面と斜め折れ線の外側に成形される斜め傾斜面との三個のエリアに分割してなり、前側傾斜面は前側壁に沿って斜め折れ線側へ下傾し、後側傾斜面は横折れ線側へ下傾し、斜め傾斜面は斜め折れ線側に下傾するようにした。このように、底壁上面が導出口への方向とは異なる方向へ下傾しているので、球タンク内の遊技球が導出口へ一度に集中することがなく、導出口へ向かう遊技球の球荷重が分散され、導出口への球圧を軽減できる。これにより、導出口部位での球詰まりを防止することができるという効果がある。
【発明を実施するための最良の形態】
【０００７】
以下、本発明に係る遊技機の球タンクの実施の形態を図面に基づき説明する。なお、パチンコ遊技機、アレンジボール機または雀球遊技機等の遊技機の内、本発明にあっては、その一例としてパチンコ遊技機について説明する。図１は本発明が適用されるパチンコ遊技機の裏面図である。
【０００８】
パチンコ遊技機Ｐは、縦長方形状の外枠１を有し、その前面に内枠２が開閉自在に装着され、該内枠２に遊技盤３が配設される。図示は省略するが、前記内枠２の前面には、遊技盤３の前面を覆う透明板保持枠、打球発射部へ供給される遊技球を貯留するための上球皿が装着された前面板、上球皿から溢れた遊技球を貯留する下球皿及び操作ハンドルが装着される。
【０００９】
一方、遊技盤３の裏面に、その裏面を覆うようにして合成樹脂製の入賞球集合カバー４が装着される。この中央には、遊技盤３面に装着される表示装置（図示せず。）の後部の突出部を覆うカバー部材５が取着される。前記入賞球集合カバー４の下方に球寄せ樋６が設けられ、入賞球集合カバー４により寄せ集められた入賞球を下方から外部へ排出するようにしている。
【００１０】
また、前記内枠２の裏側に、その上部と一側部を覆うようにして機構板７が装着される。この機構板７は、合成樹脂製であって図２に示すように水平板部７ａと垂直板部７ｂとにより逆Ｌ字状に成形され、垂直板部７ｂの一側を内枠２に開閉自在に軸着している。水平板部７ａの裏面一側に、パチンコ遊技機Ｐの上方に配置される遊技球補給経路（図示せず。）から補給される遊技球を貯留する球タンク８が配置される。また、水平板部７ａの他側に、球タンク８の下部に一部重なるようにして二条の球通路を備えたタンクレール９が装着されている。
【００１１】
また、タンクレール９の流下端は下方へ屈曲しており、その下方に垂直板部７ｂに沿って供給通路１１が取着される。この供給通路１１の下端に、例えば入賞球が発生したときに所定個数の景品球を払い出す球払出装置１２が装着されている。球払出装置１２の下方には、該球払出装置１２から払い出された景品球を前記上球皿に排出するための球排出通路１３が装着される。
【００１２】
前記球タンク８は、図３に示すように合成樹脂製であって上面が開口する有底箱枠状に成形される。詳しくは、前側壁１４ａ、後側壁１４ｂ、右側壁１４ｃ、左側壁１４ｄ及び底壁１４ｅからなり、略横長長方形状に成形される。そして、底壁１４ｅの一側、すなわち前記球払出装置１２に近い側であって後側壁１４ｂと後から見て右側壁１４ｃとのなす後側隅部に、貯留される遊技球を排出するための導出口１５が開設されている。この導出口１５は、球タンク８の平面長方形状と同じく左右に長い平面長方形状をなす。また、左右側壁１４ｃ，１４ｄの外側に球タンク８を機構板７の取付部位１０に装着するための取付片１６が一体に設けられ、各取付片１６にビス１７を螺締するためのネジ挿通孔１８が貫設されている。
【００１３】
前記球タンク８の底壁１４ｅの上面は傾斜する三個のエリアに分割され、それぞれ下傾する方向を異ならせている。さらに詳しく説明すると、図４乃至図６に示すように前側壁１４ａに平行でありかつ前記導出口１５の前側縁部１５ａに達する横折れ線１９により底壁１４ｅ上面を前後に分割する。そして、前側壁１４ａ及び横折れ線１９の間に前側傾斜面２０ａが成形され、横折れ線１９及び後側壁１４ｂの間に後側傾斜面２０ｂが成形される。また、球払出装置１２に近い側の前側隅部Ｏ２、すなわち前側壁１４ａと右側壁１４ｃとのなす隅角部、から横折れ線１９の下流端部Ｏ１に達する斜め折れ線２１の外側に斜め傾斜面２０ｃが成形される。
【００１４】
前記前側傾斜面２０ａは前側壁１４ａに沿って斜め折れ線２１側へ下傾し、後側傾斜面２０ｂは横折れ線１９側へ下傾している。また、斜め傾斜面２０ｃは斜め折れ線２１側に下傾している。これら前側・後側・斜め傾斜面２０ａ，２０ｂ，２０ｃはいずれも水平面に対しほぼ５度下方へ傾斜している。そこで、前記横折れ線１９の下流端部Ｏ１が、導出口１５の四隅角部の内、後側壁１４ｂ及び右側壁１４ｃのなす隅角部に対し対角線位置に有る隅角部にほぼ合致する。
【００１５】
前記球タンク８内における導出口１５の上方の所定高さ位置に、導出口１５の全体が覆われかつ遊技球が落下する外周縁に向かって上面が下傾する球受部材２２が配設される。
【００１６】
球受部材２２は、合成樹脂製であって図３に示すように設置された球タンク８内の前後方向の幅寸法とほぼ同じ幅寸法を有し、底板部２３の片側周縁に球タンク８の前側壁１４ａと右側壁１４ｃ及び後側壁１４ｂの内面にほぼ接する前板部２４ａ、右板部２４ｂ及び後板部２４ｃが連続して立設される。また、これら前板部２４ａ、右板部２４ｂ及び後板部２４ｃの上端縁に、水平なリブ片２５が設けられる。この内、後板部２４ｃに対応するリブ片２５には、球受部材２２を固定すべくビス２６を挿通するためのネジ挿通孔２７が設けられている。
【００１７】
前記前板部２４ａの先端と後板部２４ｃの先端間は開放されかつ底板部２３の上面はその開放口２８に向かって下傾（この場合も、水平面に対しほぼ５度下傾している。）しており、底板部２３の上面に載った遊技球がその開放口２８から排出されるようになっている。また、この開放口２８の外周縁は、平面くの字状に屈曲すると共に該外周縁にその先端に進むに従い漸次肉厚が薄くなるテーパー部２９が設けられている。
【００１８】
そこで、球受部材２２を導出口１５の上方に位置させると共に、リブ片２５を前側壁１４ａ、後側壁１４ｂ及び右側壁１４ｃの上端縁に当接させるようにして球受部材２２を球タンク８に嵌め込む。そして、後側壁１４ｂの後面一側に設けられ前記各ネジ挿通孔２７，２７と連通するネジ孔３０，３０にそれぞれビス２６，２６を螺締して、球タンク８に球受部材２２が取着される。また、前記ビス２６，２６を取り外すことにより球受部材２２を簡単に取り外すことができ、球受部材２２が着脱自在に取付けられるようになっている。
【００１９】
前記球受部材２２は、下側を一段または二段の遊技球が通過できる程度の所定の高さ位置に配設されれば良いが、できれば一段の遊技球が通過できる程度の高さ位置に配設されることが良い。この場合も、図８に示すように球受部材２２の開放口２８の外側縁と球タンク８の底壁１４ｅ上面との間の間隔は、一段の遊技球が通過できる程度の寸法に設定されている。
【００２０】
本発明に係る球タンクは上記構成からなり、パチンコ遊技機Ｐの裏側上部に配置される遊技球補給経路（図示せず。）から球タンク８内に補給される遊技球は、図７、図８に示すように底壁１４ｅ上面に多段に積み重なり、その一部が球受部材２２の底板部２３の上面にも載る。そして、例えば入賞球が発生し、球払出装置１２が作動してそこから所定個数の遊技球が払い出される毎に、球タンク８内の遊技球が導出口１５を介してタンクレール９へ排出される。なお、前記球払出装置１２から払い出された遊技球は、球排出通路１３を介してパチンコ遊技機Ｐ前面の上球皿へ払い出されることになる。
【００２１】
このように、導出口１５上方の所定高さ位置に、該導出口１５の全体が覆われかつ遊技球が落下する外周縁に向かって上面が下傾する球受部材２２を配設すると、遊技球の一部が球受部材２２により受け止められることになり、導出口１５へ流れ込む遊技球の特に上下方向の球圧が軽減される。これにより、導出口１５部位での球詰まり防止効果が高められる。
【００２２】
この際、球受部材２２における遊技球が落下する開放口２８の外周縁に、その先端に進むに従い漸次肉厚が薄くなるテーパー部２９が設けられているので、遊技球が掬われ易く、球受部材２２上面に遊技球が載り易い。また、球受部材２２は、設置された球タンク８内の前後方向の幅寸法とほぼ同じ幅寸法を有するので、広く遊技球を受け止められ、導出口１５での遊技球の球圧を一層軽減でき、導出口１５部位での球詰まり防止効果が高められる。
【００２３】
このようにして、球タンク８内の遊技球は順次導出口１５から排出される。また、球受部材２２の底板部２３の上面に載る遊技球は、球タンク８内の遊技球が少なくなるに連れ、開放口２８から球タンク８の底壁１４ｅ上面に落下する。
【００２４】
前記底壁１４ｅの上面は、それぞれ導出口１５への方向とは下傾する方向が異なる前側傾斜面２０ａと後側傾斜面２０ｂと斜め傾斜面２０ｃとにより三つのエリアに分割されている。そこで、図４の各矢印に示されるように前側傾斜面２０ａに載る遊技球は、前側壁１４ａに沿ってかつ斜め折れ線２１側に向かって矢印イのように流下する。また、後側傾斜面２０ｂに載る遊技球は、横折れ線１９に向かって矢印ロのように流下する。更に、斜め傾斜面２０ｃに載る遊技球は、斜め折れ線２１に向かって矢印ハのように流下する。よって、全体的に前側傾斜面２０ａ上面の遊技球に後側傾斜面２０ｂ上面の遊技球が合流し、導出口１５近くで斜め傾斜面２０ｃ上面の遊技球が合流して矢印ニ，ホのような流れができ、主流が導出口１５の角部から該導出口１５へ導かれる。
【００２５】
このように、導出口１５へは遊技球の主流が前記導出口１５の角部、すなわち横折れ線１９の流下端部Ｏ１の一個所から導かれることになり、すべての遊技球が導出口１５に一度に集中して流下することがないので、遊技球の球荷重が分散される。よって、導出口１５部位に位置する遊技球の球圧が軽減され、これにより導出口１５部位での球詰まりが防止できる。
【００２６】
しかも、球受部材２２が、その下側を一段の遊技球が通過できる程度の高さ位置に配設されているので、球受部材２２の下側では遊技球が整然と並びダンゴ状にならないことから、球詰まり防止効果が向上するばかりでなく、遊技球の排出速度も速くなり、高速の払い出しも十分対処できる。
【００２７】
また、本発明にあっては、球タンク８における球払出装置１２に近い側でありかつ後側隅部に導出口１５を設けるようにしているので、従来に比べタンクレール９の取付位置をより高くでき、これによりその下方の空間スペースが広く取れる。よって、例えば、近時、遊技盤の中央に配置され図柄を変動表示する表示装置や、遊技盤の裏側に配置され遊技を制御する基板ボックスの大型化にも対応し易い。また、タンクレール９の長さも短くなって、その組付けが容易になるばかりか金型代も安くなり製作コストを下げることができるという効果がある。
【図面の簡単な説明】
【００２８】
【図１】本発明に係るパチンコ遊技機の裏面図。
【図２】機構板の斜視図。
【図３】球タンクの分解斜視図。
【図４】球受部材を外した球タンクの平面図。
【図５】図４のＡ−Ａ線断面図。
【図６】図４のＢ−Ｂ線断面図。
【図７】作用を示す球タンクの平面図。
【図８】同図７のＣ−Ｃ線断面図。
【符号の説明】
【００２９】
８                  球タンク
９                  タンクレール
１２                球払出装置
１４ａ              前側壁
１４ｂ              後側壁
１４ｃ              右側壁
１４ｅ              底壁
１５                導出口
１９                横折れ線
２０ａ              前側傾斜面
２０ｂ              後側傾斜面
２０ｃ              斜め傾斜面
２１                斜め折れ線
Ｏ１                下流端部
Ｏ２                前側隅部
Ｐ                  遊技機（パチンコ遊技機）
【図１】
2007000213.tif 000003
【図２】
2007000213.tif 000004
【図３】
2007000213.tif 000005
【図４】
2007000213.tif 000006
【図５】
2007000213.tif 000007
【図６】
2007000213.tif 000008
【図７】
2007000213.tif 000009
【図８】
2007000213.tif 000010